(57)【特許請求の範囲】
【請求項１】
ルーバーが形成された正面板と、背面板と、側面板とを縦断面形状が平行四辺形となるように箱状に形成したものからなり、上面および下面が前記正面板に向かってそれぞれ上り傾斜に傾斜しているパネル本体を備えた防音パネルにおいて、
前記パネル本体の前記下面は、前記正面板側に下り傾斜に配された導水板を備え、前記正面板には、排水口が形成され、前記導水板の背面板側端部は、止水材を介して前記背面板に接合されていることを特徴とする防音パネル。
【請求項２】
前記排水口は、前記導水板と前記正面板とがなすコーナー部に形成されていることを特徴とする、請求項１に記載の防音パネル。
【請求項３】
前記止水材は、ゴム製であることを特徴とする、請求項１または２に記載の防音パネル。
【請求項４】
前記正面板は、アルミニウム製で、前記背面板および前記導水板は、亜鉛メッキ鋼板製であることを特徴とする、請求項１から３の何れか１つに記載の防音パネル。
【請求項５】
前記導水板の正面板側端部は、絶縁材を介して前記正面板の下縁部に接合されていることを特徴とする、請求項４に記載の防音パネル。
【請求項６】
前記絶縁材は、ゴム製であることを特徴とする、請求項５に記載の防音パネル。
【請求項７】
前記排水口と正対する前記導水板の正面板側縁部に、弧状の切り欠きが形成されていることを特徴とする、請求項１から６の何れか１つに記載の防音パネル。
【発明の詳細な説明】
【技術分野】
【０００１】
この発明は、防音パネル、特に、パネル本体内に浸入した雨水等を確実にパネル本体外に排水することができることは勿論、電蝕による腐食を防止することができ、しかも、強度が高い防音パネルに関するものである。
【背景技術】
【０００２】
従来、道路を走行する車両が発する騒音を低減するために、道路に沿って構築される防音フェンスは、例えば、Ｈ形鋼からなる支柱のフランジ間に複数枚の防音パネルの左右端部を落とし込んで段積みすることにより構築されていた。
【０００３】
従来の防音パネルの一例が特許文献１に開示されている。以下、この防音パネルを従来パネルＡといい、図面を参照しながら説明する。
【０００４】
図４は、従来パネルＡを示す正面図、図５は、従来パネルＡを示す断面図、図６は、従来パネルＡを示す部分拡大断面図、図７は、従来パネルＡを示す部分拡大斜視図である。
【０００５】
図４から図７に示すように、従来パネルＡは、パネル本体２１と、パネル本体２１内に入れられた吸音材２２とからなっている。パネル本体２１は、正面板２３と背面板２４と側面板２５とを、図５に示すように、縦断面形状が平行四辺形となるように箱状に形成したものからなっている。パネル本体２１の上面２１ａおよび下面２１ｂは、正面板２３に向かってそれぞれ上り傾斜に傾斜している。
【０００６】
防音パネルＡによれば、正面板２３に形成されたルーバー２６からパネル本体２１内に入り込んだ音は、吸音材２２により吸収されることによって、防音効果が得られる。
【０００７】
図５に示すように、パネル本体２１の上面２１ａは、正面板２３の上部と背面板２４の上部とを互いに内側に折り曲げて重ね合わせ、リベット接合することにより形成されている。
【０００８】
図５に示すように、パネル本体２１の下面２１ｂは、背面板２４の下部を内側に折り曲げ、その端部と正面板２３の下部とをはぜ折りにより接合することにより形成されている。はぜ折り部を２７で示す。はぜ折り部２７は、パネル本体２１の下面２１ｂより下方に突出している。
【０００９】
パネル本体２１の下面２１ｂには、排水口２８が形成され、ルーバー２６からパネル本体２１内に入り込んだ雨水等がパネル本体２１外に排水されるようになっている（図６、図７参照）。また、はぜ折り部２７の下部にも排水口２９が形成され、はぜ折り部２７内に入り込んだ雨水等がパネル本体２１外に排水されるようになっている（図６、図７参照）。
【００１０】
パネル本体２１の上面２１ａのルーバー２６側の上端には、凹部３３が形成され、防音フェンスを構築する際に、上段の防音パネルのはぜ折り部２７が下段の防音パネルの凹部３３内に入り込むように段積みされる。
【００１１】
従来パネルＡを使用した防音フェンスは、図４に示すように、従来パネルＡの左右端部をＨ形鋼からなる支柱３２のフランジ間に落とし込み、段積みすることにより構築される。
【００１２】
上記従来パネルＡによれば、ルーバー２６からパネル本体２１内に入り込んだ雨水等は、排水口２８からパネル本体２１外に排水され、はぜ折り部２７内に入り込んだ雨水等は、排水口２９からパネル本体２１外に排水されるようにはなっているが、はぜ折り部２７内の空間は、非常に狭いので、雨水等は、排水口２９から排水されにくい。
【００１３】
そこで、この問題を解決した別の防音パネルが特許文献２に開示されている。
【００１４】
以下、この防音パネルを従来パネルＢといい、図面を参照しながら説明する。
【００１５】
図８は、従来パネルＢを示す部分斜視図である。
【００１６】
従来パネルＢと従来パネルＡとは、パネル本体２１の下面２１ｂの構成と、下面２１ｂに形成された排水口の位置とが異なる。
【００１７】
図８に示すように、従来パネルＢにおけるパネル本体２１の下面２１ｂは、背面板２４の下部を正面板２３側に下り傾斜に折り曲げて下部折り曲げ部２４ａを形成し、正面板２３の下部を背面板２４側に登り傾斜に折り曲げて下部折り曲げ部２３ａを形成し、間隔材３０を背面板２４の下部折り曲げ部２４ａと正面板２３の下部折り曲げ部２３ａとの間にリベットにより固定したものからなっている。
【００１８】
間隔材３０は、断面コ字状に形成され、その両フランジに正面板２３側にそれぞれ下り傾斜に折り曲げた折り曲げ部３０ａ、３０ｂを形成したものからなっている。一方の折り曲げ部３０ａは、背面板２４の下部折り曲げ部２４ａの下面にリベット止めされ、他方の折り曲げ部３０ｂは、正面板２３の下部折り曲げ部２３ａを介して背面板２４の下部折り曲げ部２４ａの下面にリベット止めされている。
【００１９】
正面板２３の下部折り曲げ部２３ａのコーナー部には、排水口３１が形成され、ルーバーからパネル本体２１内に入り込んだ雨水等がパネル本体２１外に排水されるようになっている。
【先行技術文献】
【特許文献】
【００２０】
【特許文献１】特許第４６８４０１８号公報
【特許文献２】意匠登録第１４３３６６３号公報
【発明の概要】
【発明が解決しようとする課題】
【００２１】
上述したように、従来パネルＢによれば、正面板２３と背面板２４とはぜ折りにより接合されていないので、はぜ折り部２７内の雨水等がパネル本体２１外に排水されにくいといった問題は生じない。
【００２２】
しかし、従来パネルＢを用いて段積みした場合、上下の連結部においてパネル同士が密着せず、また、はぜ折部による嵌合がされないため、連結強度に不安があった。
【００２３】
また、正面板２３は、アルミニウム製で、背面板２４および間隔材３０は、亜鉛メッキ鋼鈑で構成されているので、電蝕によるパネル本体２１の腐食の問題があった。しかも、間隔材３０の接合は、リベット止めのみであるので、この接合部から雨水等が間隔材３０内に浸入するおそれがあった。
【００２４】
従って、この発明の目的は、パネル本体内に浸入した雨水等を確実にパネル本体外に排水することができることは勿論、電蝕による腐食を防止することができ、しかも、強度が高い防音パネルを提供することにある。
【課題を解決するための手段】
【００２５】
この発明は、上記目的を達成するためになされたものであって、下記を特徴とする。
【００２６】
請求項１に記載の発明は、ルーバーが形成された正面板と、背面板と、側面板とを縦断面形状が平行四辺形となるように箱状に形成したものからなり、上面および下面が前記正面板に向かってそれぞれ上り傾斜に傾斜しているパネル本体を備えた防音パネルにおいて、前記パネル本体の前記下面は、前記正面板側に下り傾斜に配された導水板を備え、前記正面板には、排水口が形成され、前記導水板の背面板側端部は、止水材を介して前記背面板に接合されていることに特徴を有するものである。
【００２７】
請求項２に記載の発明は、請求項１に記載の発明において、前記排水口は、前記導水板と前記正面板とがなすコーナー部に形成されていることに特徴を有するものである。
【００２８】
請求項３に記載の発明は、請求項１または２に記載の発明において、前記止水材は、ゴム製であることに特徴を有するものである。
【００２９】
請求項４に記載の発明は、請求項１から３の何れか１つに記載の発明において、前記正面板は、アルミニウム製で、前記背面板および前記導水板は、亜鉛メッキ鋼板製であることに特徴を有するものである。
【００３０】
請求項５に記載の発明は、請求項４に記載の発明において、前記導水板の正面板側端部は、絶縁材を介して前記正面板の下縁部に接合されていることに特徴を有するものである。
【００３１】
請求項６に記載の発明は、請求項５に記載の発明において、前記絶縁材は、ゴム製であることに特徴を有するものである。
【００３２】
請求項７に記載の発明は、請求項１から６の何れか１つに記載の発明において、前記排水口と正対する前記導水板の正面板側縁部に、弧状の切り欠きが形成されていることに特徴を有するものである。
【発明の効果】
【００３４】
この発明によれば、パネル本体内に浸入した雨水等を、パネル内部に設けた導水板、および、正面板下部折り曲げ部のコーナー部に設けた排水口により、確実にパネル本体外に排水することができる。
【００３５】
また、この発明によれば、排水口と正対する導水板の正面板側縁部に、弧状の切り欠きを形成することによって、雨水等をより確実に排水することができる。
【００３６】
また、この発明によれば、導水板を設けることによって、パネル本体の強度を向上させることができる。
【００３７】
また、この発明によれば、導水板の正面板側端部を絶縁材を介して正面板下部折り曲げ部に接合することによって、パネル本体の電蝕を防止することができる。
【００３８】
また、この発明によれば、導水板の背面板側端部を止水材を介して背面板に接合することによって、この接合部分からのパネル本体内への雨水等の侵入を確実に防止することができる。
【００３９】
なお、導水板自体を非金属、例えば、樹脂、硬質ゴム等にて製作し、絶縁の効果を向上させることもできる。
【図面の簡単な説明】
【００４０】
【図１】この発明の防音パネルを示す断面図である。
【図２】この発明の防音パネルを示す部分拡大断面図である。
【図３】図２のＡ矢視図である。
【図４】従来パネルＡを示す正面図である。
【図５】従来パネルＡを示す断面図である。
【図６】従来パネルＡを示す部分拡大断面図である。
【図７】従来パネルＡを示す部分拡大斜視図である。
【図８】従来パネルＢを示す部分斜視図である。
【発明を実施するための形態】
【００４１】
この発明の防音パネルの一実施態様を、図面を参照しながら説明する。
【００４２】
図１は、この発明の防音パネルを示す断面図、図２は、この発明の防音パネルを示す部分拡大断面図である。
【００４３】
図１および図２に示すように、この発明の防音パネルは、パネル本体１とパネル本体１内に入れられた吸音材２とからなっている。
【００４４】
パネル本体１は、正面板３と、背面板４と、側面板５とを縦断面形状が平行四辺形となるように箱状に形成したものからなっている。正面板３には、ルーバー６が形成されている。パネル本体１の上面１ａおよび下面１ｂは、正面板３に向かってそれぞれ上り傾斜に傾斜している。正面板３は、アルミニウム製で、背面板４および側面板５は、亜鉛メッキ鋼板製である。
【００４５】
パネル本体１の下面１ｂは、背面板４の下部を正面板３側に登り傾斜に折り曲げて形成した背面板下部折り曲げ部７と、背面板下部折り曲げ部７と間隔をあけて正面板４側に下り傾斜に配された導水板８と、背面板４側に登り傾斜に折り曲げられた正面板下部折り曲げ部３ａの下面に接合された逆Ｌ形の嵌合板９とからなっている。
【００４６】
導水板８は、正面板３側に下り傾斜に取り付けられているので、ルーバー６からパネル本体１内に浸入した雨水等は、導水板８上を流れて、後述する排水口１２からパネル本体１外に排水される。また、導水板８を設けることによって、パネル本体１の下部の強度が向上するため、段積みした際の上下連結部の強度向上にも効果がある。
【００４７】
嵌合板９は、この発明の防音パネルを段積みして防音フェンスを構築する際に、下段の防音パネルの正面板３に形成された凹部３ｂ内に、上段の防音パネルの嵌合板９を入り込ませて防音パネルの位置決めを図るものである。防音フェンスの構築の際、この発明の防音パネルの左右端部をＨ形鋼からなる支柱のフランジ間に落とし込んで段積みする点は、従来と同様である（図４参照）。
【００４８】
導水板８は、亜鉛メッキ鋼板製で、嵌合板９は、アルミニウム製である。
【００４９】
導水板８の背面板側端部８ａは、ゴム等からなる止水材１０を介して背面板５の内面にリベットにより接合されている。導水板８の正面板側端部８ｂは、絶縁材１１を介して正面板下部折り曲げ部３ａの上面にリベットにより接合されている。
【００５０】
導水板８を絶縁材１１を介して正面板３の正面板下部折り曲げ部３ａに接合することによって、パネル本体１の電蝕を防止することができる。また、導水板８の背面板側端部８ａを止水材１０を介して背面板５に接合することによって、この接合部分からパネル本体１内への雨水等の侵入を確実に防止することができる。
【００５１】
背面板下部折り曲げ部７の先端７ａは、導水板８の下面にリベットにより接合されている。正面板下部折り曲げ部３ａのコーナー部には、排水口１２が形成されている。
【００５２】
図３に示すように、排水口１２と正対する導水板８の正面板側縁部８ｃには、弧状の切り欠き１３が形成されている。切り欠き１３を形成することによって、雨水等は、より流れやすくなるので、排水口１２から確実に排水することができる。
【００５３】
以上、説明したように、この発明によれば、正面板下部折り曲げ部３ａのコーナー部に排水口１２を形成することによって、パネル本体１内に浸入した雨水等を確実にパネル本体１外に排水することができる。
【００５４】
また、この発明によれば、排水口１２と正対する導水板８の正面板側縁部８ｃに、弧状の切り欠き１３を形成することによって、雨水等をより確実に排水することができる。
【００５５】
また、この発明によれば、導水板８を設けることによって、パネル本体１の強度を向上させることができる。
【００５６】
また、この発明によれば、導水板８を絶縁材１１を介して正面板３の正面板下部折り曲げ部３ａに接合することによって、パネル本体１の電蝕を防止することができる。
【００５７】
また、この発明によれば、導水板８の背面板側端部８ａを止水材１０を介して背面板４に接合することによって、この接合部分からパネル本体１内への雨水等の侵入を確実に防止することができる。
【符号の説明】
【００５８】
１：パネル本体
１ａ：上面
１ｂ：下面
２：吸音材
３：正面板
３ａ：正面板下部折り曲げ部
３ｂ：凹部
４：背面板
５：側面板
６：ルーバー
７：背面板下部折り曲げ部
７ａ：背面板下部折り曲げ部の先端
８：導水板
８ａ：背面板側端部
８ｂ：正面板側端部
８ｃ：正面板側縁部
９：嵌合板
１０：止水材
１１：絶縁材
１２：排水口
１３：切り欠き部
２１：パネル本体
２１ａ：上面
２１ｂ：下面
２２：吸音材
２３：正面板
２３ａ：下部折り曲げ部
２４：背面板
２４ａ：下部折り曲げ部
２５：側面板
２６：ルーバー
２７：はぜ折り部
２８：排水口
２９：排水口
３０：間隔材
３０ａ：一方の折り曲げ部
３０ｂ：他方の折り曲げ部
３１：排水口
３２：支柱
３３：凹部
【図１】
0006335344.tif 000002
【図２】
0006335344.tif 000003
【図３】
0006335344.tif 000004
【図４】
0006335344.tif 000005
【図５】
0006335344.tif 000006
【図６】
0006335344.tif 000007
【図７】
0006335344.tif 000008
【図８】
0006335344.tif 000009